【手続補正書】
【提出日】平成22年2月22日(2010.2.22)
【手続補正１】
【補正対象書類名】特許請求の範囲
【補正対象項目名】全文
【補正方法】変更
【補正の内容】
【特許請求の範囲】
【請求項１】
それぞれ固定点に設置され、ユーザによるユーザ識別情報の入力に応じて、該固定点の位置に対応する位置情報と、該入力に対応する時刻を示す第１の時刻情報と、入力された該ユーザ識別情報とを出力する複数の情報出力装置と、
上記情報出力装置から出力された上記位置情報と上記第１の時刻情報と上記ユーザ識別情報とを対応付けて蓄積的に格納する格納部と、
端末装置と通信を行う通信部と、
上記通信部により受信された、端末装置から送信されたデータに対応する位置を推定する位置推定部と
を備えるサーバ装置と
を有し、
上記通信部は、
上記端末装置から送信された少なくとも第２の時刻情報とユーザ識別情報とを受信し、
上記位置推定部は、
上記格納部から、上記通信部により受信された上記ユーザ識別情報に対応する上記位置情報および上記第１の時刻情報を抽出し、
上記通信部により受信された上記第２の時刻情報が示す時刻と上記格納部から抽出された複数の該第１の時刻情報が示す時刻それぞれとの差分を求め、該差分の絶対値が最も小さくなる該第１の時刻情報に対応する上記位置情報が示す位置を、該第２の時刻情報に対応する位置であると推定する
ことを特徴とする位置情報取得システム。
【請求項２】
請求項１に記載の位置情報取得システムにおいて、
上記情報出力装置は、
所定の記憶媒体に記憶されたデータを読み出すリーダ部を有し、
上記入力は、上記リーダ部により上記所定の記憶媒体に記憶された上記ユーザ識別情報を読み出すことでなされる
ことを特徴とする位置情報取得システム。
【請求項３】
請求項１に記載の位置情報取得システムにおいて、
上記端末装置は撮像機能を有し、上記第２の時刻情報は該撮像機能により撮影が行われた時刻に対応する
ことを特徴とする位置情報取得システム。
【請求項４】
請求項３に記載の位置情報取得システムにおいて、
上記端末装置は、上記撮像機能により撮影した画像データを、上記第２の時刻情報および上記ユーザ識別情報と共に送信するようにされ、
上記サーバ装置は、
上記通信部により上記端末装置から送信された上記画像データをさらに受信し、該画像データと共に受信された上記第２の時刻情報に基づき上記位置推定部により上記推定された上記位置を示す推定位置情報と、受信された該画像データとを対応付けて上記ユーザに通知する
ことを特徴とする位置情報取得システム。
【請求項５】
請求項１に記載の位置情報取得システムにおいて、
上記情報出力装置は、他の目的のための装置の機能を利用して構成される
ことを特徴とする位置情報取得システム。
【請求項６】
請求項５に記載の位置情報取得システムにおいて、
上記情報出力装置は、
上記他の目的のための装置に対応した他の記憶媒体に記憶されたデータを読み出す他のリーダ部を有し、
上記他の記憶媒体に上記ユーザ識別情報を記憶させ、上記入力は、上記他のリーダ部により上記他の記憶媒体に記憶された上記ユーザ識別情報を読み出すことでなされる
ことを特徴とする位置情報取得システム。
【請求項７】
請求項５に記載の位置情報取得システムにおいて、
上記情報出力装置は、
上記他の目的のための装置に対応した他の記憶媒体に記憶されたデータを読み出す他のリーダ部を有し、
上記他の記憶媒体に上記他の目的に対応した他のユーザ識別情報を記憶させ、上記入力は、上記他のリーダ部により上記他の記憶媒体に記憶された上記他のユーザ識別情報を読み出すことでなされる
ことを特徴とする位置情報取得システム。
【請求項８】
請求項７に記載の位置情報取得システムにおいて、
上記サーバ装置は、
上記他のユーザ識別情報を上記ユーザ識別情報に変換する変換テーブルをさらに有する
ことを特徴とする位置情報取得システム。
【請求項９】
それぞれ固定点に設置された複数の情報出力装置から、ユーザによるユーザ識別情報の入力に応じて出力された、該固定点の位置に対応する位置情報と、該入力に対応する時刻を示す第１の時刻情報と、入力された該ユーザ識別情報とを対応付けて蓄積的に格納する格納部と、
端末装置と通信を行う通信部と、
上記通信部により受信された、端末装置から送信されたデータに対応する位置を推定する位置推定部と
を有し、
上記通信部は、
上記端末装置から送信された少なくとも第２の時刻情報とユーザ識別情報とを受信し、
上記位置推定部は、
上記格納部から、上記通信部により受信された上記ユーザ識別情報に対応する上記位置情報および上記第１の時刻情報を抽出し、
上記通信部により受信された上記第２の時刻情報が示す時刻と上記格納部から抽出された複数の該第１の時刻情報が示す時刻それぞれとの差分を求め、該差分の絶対値が最も小さくなる該第１の時刻情報に対応する上記位置情報が示す位置を、該第２の時刻情報に対応する位置であると推定する
ことを特徴とする位置情報取得装置。
【請求項１０】
それぞれ固定点に設置された複数の情報出力装置から、ユーザによるユーザ識別情報の入力に応じて出力された、該固定点の位置に対応する位置情報と、該入力に対応する時刻を示す第１の時刻情報と、入力された該ユーザ識別情報とを対応付けて蓄積的に格納部に格納するステップと、
端末装置と通信を行う通信のステップと、
上記通信のステップにより受信された、端末装置から送信されたデータに対応する位置を推定する位置推定のステップと
を有し、
上記通信のステップは、
上記端末装置から送信された少なくとも第２の時刻情報とユーザ識別情報とを受信し、
上記位置推定のステップは、
上記格納部から、上記通信のステップにより受信された上記ユーザ識別情報に対応する上記位置情報および上記第１の時刻情報を抽出し、
上記通信部により受信された上記第２の時刻情報が示す時刻と上記格納部から抽出された複数の該第１の時刻情報が示す時刻それぞれとの差分を求め、該差分の絶対値が最も小さくなる該第１の時刻情報に対応する上記位置情報が示すを、該第２の時刻情報に対応する位置であると推定する
ことを特徴とする位置情報取得方法。
【請求項１１】
それぞれ固定点に設置され、ユーザによるユーザ識別情報の入力に応じて、該固定点の位置に対応する第１の位置情報と、入力された該ユーザ識別情報とを出力する複数の情報出力装置と、
上記情報出力装置から出力された上記第１の位置情報と上記ユーザ識別情報とを対応付けて蓄積的に格納する格納部と、
端末装置と通信を行う通信部と、
上記通信部により受信された、端末装置から送信されたデータに対応する位置を推定する位置推定部と
を備えるサーバ装置と
を有し、
上記通信部は、
上記端末装置から送信された少なくとも第２の位置情報とユーザ識別情報とを受信し、
上記位置推定部は、
上記格納部から、上記通信部により受信された上記ユーザ識別情報に対応する上記第１の位置情報を抽出し、
上記通信部により受信された上記第２の位置情報が示す位置と上記格納部から抽出された複数の該第１の位置情報が示す位置それぞれとの距離を求め、該距離が最も小さくなる該第１の位置情報が示す位置を、該第２の位置情報に対応する位置であると推定する
ことを特徴とする位置情報取得システム。
【請求項１２】
請求項１１に記載の位置情報取得システムにおいて、
上記情報出力装置は、
所定の記憶媒体に記憶されたデータを読み出すリーダ部を有し、
上記入力は、上記リーダ部により上記所定の記憶媒体に記憶された上記ユーザ識別情報を読み出すことでなされる
ことを特徴とする位置情報取得システム。
【請求項１３】
請求項１１に記載の位置情報取得システムにおいて、
上記端末装置は撮像機能を有し、上記第２の位置情報は該撮像機能により撮影が行われた位置に対応する
ことを特徴とする位置情報取得システム。
【請求項１４】
請求項１３に記載の位置情報取得システムにおいて、
上記端末装置は、上記撮像機能により撮影した画像データを、上記第２の位置情報および上記ユーザ識別情報と共に送信するようにされ、
上記サーバ装置は、
上記通信部により上記端末装置から送信された上記画像データをさらに受信し、該画像データと共に受信された上記第２の位置情報に基づき上記位置推定部により上記推定された上記位置を示す推定位置情報と、受信された該画像データとを対応付けて上記ユーザに通知する
ことを特徴とする位置情報取得システム。
【請求項１５】
請求項１１に記載の位置情報取得システムにおいて、
上記情報出力装置は、他の目的のための装置の機能を利用して構成される
ことを特徴とする位置情報取得システム。
【請求項１６】
請求項１５に記載の位置情報取得システムにおいて、
上記情報出力装置は、
上記他の目的のための装置に対応した他の記憶媒体に記憶されたデータを読み出す他のリーダ部を有し、
上記他の記憶媒体に上記ユーザ識別情報を記憶させ、上記入力は、上記他のリーダ部により上記他の記憶媒体に記憶された上記ユーザ識別情報を読み出すことでなされる
ことを特徴とする位置情報取得システム。
【請求項１７】
請求項１５に記載の位置情報取得システムにおいて、
上記情報出力装置は、
上記他の目的のための装置に対応した他の記憶媒体に記憶されたデータを読み出す他のリーダ部を有し、
上記他の記憶媒体に上記他の目的に対応した他のユーザ識別情報を記憶させ、上記入力は、上記他のリーダ部により上記他の記憶媒体に記憶された上記他のユーザ識別情報を読み出すことでなされる
ことを特徴とする位置情報取得システム。
【請求項１８】
請求項１７に記載の位置情報取得システムにおいて、
上記サーバ装置は、
上記他のユーザ識別情報を上記ユーザ識別情報に変換する変換テーブルをさらに有する
ことを特徴とする位置情報取得システム。
【請求項１９】
それぞれ固定点に設置された複数の情報出力装置から、ユーザによるユーザ識別情報の入力に応じて出力された、該固定点の位置に対応する第１の位置情報と、入力された該ユーザ識別情報とを対応付けて蓄積的に格納する格納部と、
端末装置と通信を行う通信部と、
上記通信部により受信された、端末装置から送信されたデータに対応する位置を推定する位置推定部と
を有し、
上記通信部は、
上記端末装置から送信された少なくとも第２の位置情報とユーザ識別情報とを受信し、
上記位置推定部は、
上記格納部から、上記通信部により受信された上記ユーザ識別情報に対応する上記第１の位置情報を抽出し、
上記通信部により受信された上記第２の位置情報が示す位置と上記格納部から抽出された複数の該第１の位置情報が示す位置それぞれとの距離を求め、該距離が最も小さくなる該第１の位置情報が示す位置を、該第２の位置情報に対応する位置であると推定する
ことを特徴とする位置情報取得装置。
【請求項２０】
それぞれ固定点に設置された複数の情報出力装置から、ユーザによるユーザ識別情報の入力に応じて出力された、該固定点の位置に対応する第１の位置情報と、入力された該ユーザ識別情報とを対応付けて蓄積的に格納部に格納するステップと、
端末装置と通信を行う通信ステップと、
上記通信のステップにより受信された、端末装置から送信されたデータに対応する位置を推定する位置推定のステップと
を有し、
上記通信のステップは、
上記端末装置から送信された少なくとも第２の位置情報とユーザ識別情報とを受信し、
上記位置推定のステップは、
上記格納部から、上記通信のステップにより受信された上記ユーザ識別情報に対応する上記第１の位置情報を抽出し、
上記通信のステップにより受信された上記第２の位置情報が示す位置と上記格納部から抽出された複数の該第１の位置情報が示す位置それぞれとの距離を求め、該距離が最も小さくなる該第１の位置情報が示す位置を、該第２の位置情報に対応する位置であると推定する
ことを特徴とする位置情報取得方法。